(57)【要約】【課題】１つのヒューズプラーで電気接続箱等に装着した小型のミニヒューズと大型のヒュージブルリンクを取り外し可能とする。【解決手段】左右対称の挟持板部を可撓性を有する連結板部で連結し、該連結板部を支点として、一側の把持側を開閉して他側のヒューズ掴み側を開閉するヒューズプラーにおいて、上記連結板部から上記ヒューズ掴み側の部分では上記左右の挟持板部をそれぞれ二股に分岐させて、長尺とした外側片と短尺とした内側片とを設け、かつ、上記左右内側片の先端および左右外側片の先端にそれぞれ対向側に突出する係止爪を設け、上記短尺で且つ間隔を狭くした左右内側片を小型のミニヒューズ用挟持片とする一方、上記長尺で且つ間隔を広くした上記左右外側片を大型のヒュージブルリンク用挟持片としている。【選択図】  図１
2004192819.tif 000002
【特許請求の範囲】
【請求項１】
左右対称の挟持板部を可撓性を有する連結板部で連結し、該連結板部を支点として、一側の把持側を開閉して他側のヒューズ掴み側を開閉するヒューズプラーにおいて、
上記連結板部から上記ヒューズ掴み側の部分では上記左右の挟持板部をそれぞれ二股に分岐させて、長尺とした外側片と短尺とした内側片とを設け、かつ、上記左右内側片の先端および左右外側片の先端にそれぞれ対向側に突出する係止爪を設け、
上記短尺で且つ間隔を狭くした左右内側片を小型のミニヒューズ用挟持片とする一方、上記長尺で且つ間隔を広くした上記左右外側片をヒュージブルリンク用挟持片としていることを特徴とするヒューズプラー。
【発明の詳細な説明】
【０００１】
【発明が属する技術分野】
本発明はヒューズプラーに関し、詳しくは、電気接続箱のヒューズ収容部に取り付けられているヒューズを取り出して交換する時に用いるための治具であって、小型のミニヒューズの取り出しとヒュージブルリンクの取り出しとの両方に出来るものである。
【０００２】
【従来の技術】
従来、自動車に搭載する電気接続箱には大きさの異なるヒューズが装着されており、このヒューズを取り外す際には、図６に示すヒューズプラー１を用いてヒューズの取り外し作業を行っている。小型ヒューズ取り外し用のヒューズプラー１は、左右対称の挟持板部１ａを可撓性を有する連結板部１ｂで連結し、該連結板部１ｂを支点として、一側の把持側１ｃを開閉して他側のヒューズ掴み側１ｄを開閉するもので、電気接続箱に装着したヒューズをヒューズ掴み側１ｄで挟持し、該ヒューズ掴み側１ｄの先端に突出する係止爪１ｅにヒューズを係止して、電気接続箱からヒューズを取り外している。
【０００３】
しかしながら、上記ヒューズプラー１であると、小型ヒューズ（ミニヒューズ）しか取り外すことができず、大型ヒューズ（カセット型ヒュージブルリンク）は作業員が手で取り外すか、もしくは、大型ヒューズ取外専用のヒューズプラーも用意して、ヒューズの大きさに合わせて適当なヒューズプラーを選択しながらヒューズの取り外し作業を行わなければならず、作業性が悪いという問題がある。
また、ヒューズプラーはヒューズを搭載した電気接続箱の空きスペースに収容しているため、複数種類のヒューズプラーを収容するにはスペースを取り電気接続箱が大型化する問題がある。
【０００４】
そこで、特開平１１−２７３５４２号において、図７に示すヒューズプラー２が提供されている。このヒューズプラー２は上記ヒューズプラー１と略同様の構造であるが、ヒューズ掴み側３の先端部と該先端部より連結部４側の位置にそれぞれ係止爪５、６を設けている。左右の係止爪５間の間隔を左右の係止爪６間の間隔よりも大きくすることにより、係止爪５を大型ヒューズ取り外し用とする一方、係止爪６を小型ヒューズ取り外し用としている。
【０００５】
【特許文献１】
特開平１１−２７３５４２号公報
【０００６】
【発明が解決しようとする課題】
しかしながら、上記ヒューズプラー２であると、ヒューズ掴み側３の挟持板部を左右１本ずつとし、係止爪５と係止爪６がそれぞれ同一の挟持板部から突出しているので、左右の係止爪５間の間隔と係止爪６間の間隔との差をあまり大きくすることができない。よって、寸法差の小さいミニヒューズとブレードヒューズ用のヒューズプラーとして用いることは可能であるが、ミニヒューズとカセット型のヒュージブルリンクとでは寸法差が大きいため、上記ヒューズプラーでミニヒューズとヒュージブルリンクとを取り出すことはできない。
上記ヒューズプラーで、挟持板の厚さを大として、左右の係止爪５間の間隔と係止爪６間の間隔との差を大きくすることも可能であるが、そうすると挟持板部が厚くなって撓みにくくなり、使用頻度の多いミニヒューズ取り出し時の作業性が悪くなるという問題がある。
【０００７】
本発明は上記問題に鑑みてなされたものであり、大小差の大きい大型のヒューズと小型のヒューズを１つのヒューズプラーで取り外し可能とすることを課題としている。
【０００８】
【課題を解決するための手段】
上記課題を解決するため、本発明は、左右対称の挟持板部を可撓性を有する連結板部で連結し、該連結板部を支点として、一側の把持側を開閉して他側のヒューズ掴み側を開閉するヒューズプラーにおいて、
上記連結板部から上記ヒューズ掴み側の部分では上記左右の挟持板部をそれぞれ二股に分岐させて、長尺とした外側片と短尺とした内側片とを設け、かつ、上記左右内側片の先端および左右外側片の先端にそれぞれ対向側に突出する係止爪を設け、
上記短尺で且つ間隔を狭くした左右内側片を小型のミニヒューズ用挟持片とする一方、上記長尺で且つ間隔を広くした上記左右外側片をヒュージブルリンク用挟持片としていることを特徴とするヒューズプラーを提供している。
【０００９】
上記構成とすると、ヒューズ掴み側の左右の挟持板部をそれぞれ二股に分岐させて、長尺とした外側片と短尺とした内側片とを設け、上記左右内側片の先端および左右外側片の先端にそれぞれ係止爪を設けているので、左右係止爪間の寸法差を大きくすることができる。よって、外側片のヒュージブルリンク用挟持片で大型のヒュージブルリンクを挟み、その先端の係止爪で係止することが出来る一方、内側片のミニヒューズ用挟持片で小型のミニヒューズを挟み、その先端の係止爪で係止することにより、寸法差の大きなミニヒューズとヒュージブルリンクとの取り出しに用いることができる。
また、ヒューズ掴み側の左右の挟持板部をそれぞれ二股に分岐させて、ミニヒューズ用挟持片およびヒュージブルリンク用挟持片のいずれも肉厚が大とならず、撓みやすいため作業性がよい。
【００１０】
【発明の実施の形態】
以下、本発明の実施の形態を図面を参照して説明する。
図１乃至図５は、本発明の実施形態を示し、ヒューズプラー１０は、左右対称の挟持板部１１を、図中長さ方向の中央より上端寄りの位置で、可撓性を有する連結板部１２により連結し、該連結板部１２よりも上部を把持側１１ａとする一方、他方の下部をヒューズ掴み側１１ｂとしている。該ヒューズプラー１０は把持側１１ａを作業者が把持して開閉することにより、ヒューズ掴み側１１ｂが開閉する。
【００１１】
上記ヒューズ掴み側１１ｂの部分では、左右の挟持板部１１をそれぞれ二股に分岐させて、長尺とした外側片と短尺とした内側片とを設け、外側片をヒュージブルリンク用挟持片１３とすると共に内側片をミニヒューズ用挟持片１４としている。左右外側のヒュージブルリンク用挟持片１３の先端にそれぞれ対向面に係止爪１３ａを突出させると共に、左右内側のミニヒューズ用挟持片１４の先端にもそれぞれ対向面に係止爪１４ａを突出させている。左右の係止爪１３ａ間の間隔ｔ１は６〜８ｍｍ、左右の係止爪１４ａ間の間隔ｔ２は１．５〜３．０ｍｍであり、本実施形態ではｔ１を７．０ｍｍ、ｔ２を２．０ｍｍとしている。
【００１２】
また、左右の挟持板部１１の外面には滑り止め用のリブ１５を所要間隔をあけて設けている。
さらに、左右挟持板１１は二股に分岐させるため、連結板部１２側から二股分岐位置にかける基部１６は厚肉となるが、それぞれ空洞１７を設けて剛性を弱めて撓み易くしていると共に、該基部１６の内面は連結板部１２側に向けて外向きに傾斜させて細くして、内側のミニヒューズ用挟持片１４の開閉角度を大としている。
【００１３】
また、該連結板部１２は細い円弧形状とすると共に、把持側１１ａに連結板部１２の円弧に連続する円形の凹部１８を内面側に設け、把持側１１ａも容易に開閉できる形状としている。
さらに、上記基部１６から内側のミニヒューズ用挟持片の内面にかけてリブ１９を設け、これら左右のリブ１９間の距離は上記係止爪１３ａ間の距離よりも小さくして、左右の係止爪１３ａが互いに干渉しない形状としている。
【００１４】
図２は、電気接続箱４０の一部に設けたヒューズプラー収容部４１を示し、ヒューズプラー収容部４１の内部にヒューズプラー係止部４２を設けている。該ヒューズプラー係止部４２は断面逆Ｔ形状とし、下端の横枠部４２ａをヒューズプラー１０の外側片のヒュージブルリンク用挟持片１３で挟持すると共に、横枠部４２ａの底面に係止爪１３ａを係止し、さらに、縦枠部４２ｂを内側のミニヒューズ用挟持片１４で挟持している。
【００１５】
上記ヒューズプラー収容部４１を備えた電気接続箱４０のヒューズ収容部（図示せず）に、図３に示す大型のカセット型のヒュージブルリンク２０を搭載している。該大型のカセット型のヒュージブルリンク２０は、両側面２０ａにヒューズプラー１０のヒュージブルリンク用挟持片１３の係止爪１３ａを挿入する凹部２１を有し、頭部２２の底面を係止爪１３ａを係止する被係止面２２ａとしている。ヒューズプラー１０のヒュージブルリンク用挟持片１３により挟持される側の頭部２２の幅ｔ３はヒューズプラー１０の左右の係止爪１３ａ間の間隔ｔ１よりも大きくしている。
【００１６】
また、上記電気接続箱４０には、図４に示す小型のミニヒューズ３０も搭載している。該ミニシューズ３０は両側面３０ａにヒューズプラー１０のミニヒューズ用挟持片１４の係止爪１４ａを挿入する凹部３１を有し、凹部３１の上端面を係止爪１４ａを係止する被係止面３１ａとしている。ミニヒューズ３０の下部には端子３３が下方に向けて突出している。ヒューズプラー１０のミニヒューズ用挟持片１４により挟持される側の幅ｔ４は、ヒューズプラー１０の左右の係止爪１４ａ間の間隔ｔ２よりも大きい。
【００１７】
次に、上記ヒューズプラー１０によるヒュージブルリンク２０及びミニヒューズ３０の取り外し方法について説明する。
まず、上記ヒューズプラー１０の把持側１１ａ左右両側から押さえて閉じることにより、ヒューズ掴み側１１ｂを左右に開けて、ヒュージブルリンク２０の頭部２２を左右のヒュージブルリンク用挟持片１３内に挿入する。次いで、頭部２２の上面が内側片のミニヒューズ用挟持片１４の下端部に当接したところで、把持部１１ａを開き、ヒューズ掴み側１１ｂを閉じると、図５（Ａ）に示すように、頭部２２を外側のヒュージブルリンク用挟持片１３が挟持すると共に、先端の係止爪１３ａがヒュージブルリンク２０の凹部２１に挿入されて、頭部２２の被係止面２２ａに係止される。この状態で、ヒューズプラー１０を上方へ引き上げると、ヒュージブルリンク２０が電気接続箱４０から取り外される。
【００１８】
同様に、ヒューズ掴み側１１ｂを左右に開けて、ミニヒューズ３０を左右内側のミニヒューズ用挟持片１４内に挿入する。次いで、ヒューズ掴み側１１ｂを閉じると、図５（Ｂ）に示すように、ミニヒューズ３０の上部をミニヒューズ用挟持片１４が挟持すると共に、先端の係止爪１４ａがミニヒューズ３０の凹部３１に挿入されて、凹部３１の被係止面３１ａに係止される。この状態で、ヒューズプラー１０を上方へ引き上げると、ミニヒューズ３０が電気接続箱４０から取り外される。
【００１９】
上記構成とすると、ヒューズ掴み側１１ｂの左右の挟持板部１１をそれぞれ二股に分岐させて、長尺としたヒュージブルリンク用挟持片１３となる外側片と短尺としたミニヒューズ用挟持片１４となる内側片とを設け、かつ、上記左右のヒュージブルリンク挟持片１３およびミニヒューズ用挟持片１４の先端にそれぞれ係止爪１３ａ、１４ａを設けているので、大小差の大きいヒュージブルリンク２０と小型のミニヒューズ３０を共に電気接続箱４０から取り外すことができる。
【００２０】
【発明の効果】
以上の説明より明らかなように、本発明によれば、ヒューズ掴み側の左右の挟持板部をそれぞれ二股に分岐させて、長尺とした外側のヒュージブルリンク用挟持片と短尺とした内側のミニヒューズ用挟持片とを設け、それらの先端にそれぞれ係止爪を設けているので、ヒュージブルリンク用挟持片の係止爪間の寸法とミニヒューズ用挟持片の係止爪間の寸法差を大きくすることができる。よって、１つのヒューズプラーで、カセット型ヒュージブルリンクと小型のミニヒューズの取り出し用に共用して用いることができる。
また、ヒューズ掴み側の左右の挟持板部をそれぞれ二股に分岐させて、肉厚が厚くなりすぎないようにしているので、撓ませやすく作業性がよい。
【図面の簡単な説明】
【図１】本発明の実施形態のヒューズプラーを示し、（Ａ）は断面図、（Ｂ）は側面図である。
【図２】電気接続箱に設けたヒューズプラー収容部にヒューズプラーを収容した状態を示す図面である。
【図３】ヒュージブルリンクを示し、（Ａ）は斜視図、（Ｂ）は側面図である。
【図４】ミニヒューズを示し、（Ａ）は斜視図、（Ｂ）は側面図である。
【図５】（Ａ）はヒューズプラーによりヒュージブルリンクを挟持した状態を示す断面図、（Ｂ）はヒューズプラーによりミニヒューズを挟持した状態を示す断面図である。
【図６】従来例を示す図面である。
【図７】他の従来例を示す図面である。
【符号の説明】
１０  ヒューズプラー
１１  挟持板部
１１ａ  把持側
１１ｂ  ヒューズ掴み側
１２  連結板部
１３  ヒュージブルリンク用挟持片
１３ａ  係止爪
１４  ミニシューズ用挟持片
１４ａ  係止爪
２０  ヒュージブルリンク
３０  ミニヒューズ
【図１】
2004192819.tif 000003
【図２】
2004192819.tif 000004
【図３】
2004192819.tif 000005
【図４】
2004192819.tif 000006
【図５】
2004192819.tif 000007
【図６】
2004192819.tif 000008
【図７】
2004192819.tif 000009